(57)【要約】【課題】遊技機の内部あるいは裏面側に不正な細工を施すゴト行為の摘発を容易とする。【解決手段】遊技部品の設定状態を変更する際に開放する開閉部が所定の第１開放量まで開放されると、その第１開放量からの開閉部の閉鎖を規制する。そして、第１開放量よりも大きい第２開放量まで開閉部が開放されると、規制を解除して開閉部の閉鎖を可能とする。こうすれば、ゴト行為者が開閉部を第１開放量まで開放すると、元通りに開閉部を閉鎖するには第２開放量まで開放しなければならず、ゴト行為者の行動を周囲に目立たせることができるので、ゴト行為の摘発が容易となる。【選択図】図６
2014124222.tif 000002
【特許請求の範囲】
【請求項１】
遊技の進行に応じて特典を付与する遊技機であって、
前記遊技機に搭載されて、前記遊技の進行に関与する遊技部品と、
一端を軸とする回動動作で開閉が可能に設けられて、開放することによって前記遊技部品の設定状態の変更が可能となる開閉部と、
前記開閉部が所定の第１開放量まで開放されると、該第１開放量からの該開閉部の閉鎖を規制する規制手段と、
前記第１開放量よりも大きい第２開放量まで前記開閉部が開放されると、前記規制手段による規制を解除して該開閉部の閉鎖を可能とする規制解除手段と、
を備えることを特徴とする遊技機。
【請求項２】
請求項１に記載の遊技機において、
前記開閉部の開閉に連動して所定の経路を移動する移動部を備え、
前記規制手段には、前記開閉部が前記第１開放量まで開放されたときの前記移動部の位置に設けられて、前記開閉部を開放する側への前記移動部の移動を可能とし、前記開閉部を閉鎖する側への前記移動部の移動を不能とする制限部が含まれる
ことを特徴とする遊技機。
【請求項３】
請求項２に記載の遊技機において、
前記移動部が移動する経路は、前記開閉部を開放する際に前記移動部が通過する往路と、前記開閉部を閉鎖する際に前記移動部が通過する復路とを含み、
前記制限部は、前記往路に設けられ、
前記規制解除手段は、前記開閉部が前記第２開放量まで開放されると、前記移動部を前記復路に誘導することで該開閉部の閉鎖を可能とする
ことを特徴とする遊技機。
【請求項４】
請求項２または請求項３に記載の遊技機において、
前記制限部は、前記移動部が移動する経路の壁面に対して突出した突出状態と埋没した埋没状態とに変化可能に設けられ、前記開閉部を開放する際には前記埋没状態となって前記移動部の移動を可能とし、前記開閉部を閉鎖する際には前記突出状態となって前記移動部の移動を不能とする
ことを特徴とする遊技機。
【請求項５】
請求項２ないし請求項４の何れか一項に記載の遊技機において、
前記制限部には、前記開閉部を閉鎖する側へ移動する前記移動部が当接する部分に、衝撃を緩和する緩衝部が設けられている
ことを特徴とする遊技機。
【発明の詳細な説明】
【技術分野】
【０００１】
本発明は、弾球遊技機や回胴式遊技機等の遊技機に関する。
【背景技術】
【０００２】
遊技の進行に応じて特典が遊技者に付与される遊技機として、弾球遊技機（いわゆるパチンコ機）や回胴式遊技機（いわゆるスロットマシン）等が知られている。このうち弾球遊技機では、遊技盤の遊技領域に設けられた始動口に遊技球が入球すると当否判定を行い、この当否判定で当りとなった場合には、大入賞口を開いて大当り遊技を実行するようになっている。開いた大入賞口に遊技球を入球させると、所定量の遊技価値（遊技球や、遊技球と同価値の遊技データなど）が付与されるので、大当り遊技の発生により、遊技者は多量の遊技価値を獲得することが可能である。
【０００３】
このような遊技の進行を制御するために、弾球遊技機の裏面側には制御基板が設けられている。また、弾球遊技機には、開閉可能に形成された扉（あるいは枠）が設けられているのが通常であり、遊技ホールの管理者は、扉を開けて制御基板を点検したり交換したりすることが可能となっている。さらに、遊技盤の遊技領域には多数の遊技釘が設けられており、遊技盤の前面に開閉可能に形成されたガラス扉を管理者が開けて遊技釘の調整を行うことが可能である。これら各種扉は、施錠装置によって施錠されており、管理者が専用の鍵を用いて開錠する構成となっている。
【０００４】
こうした弾球遊技機では、内部や裏面側に何らかの細工を施して不正に多量の遊技価値を獲得する行為（いわゆるゴト行為）が行われることがある。例えば、不正な方法で扉を開けて制御基板に細工することによって、大当り遊技（当否判定の当り）を頻繁に発生させるゴト行為が行われることがある。また、同様にガラス扉を開けて遊技釘を調整することによって、始動口への遊技球の入球を容易とするゴト行為が行われることがある。こうしたゴト行為への対策としては、ゴト行為の実行者が弾球遊技機の扉を開けた際に、その旨を管理者に報知するための報知音を発生させる技術が提案されている（例えば、特許文献１）。
【先行技術文献】
【特許文献】
【０００５】
【特許文献１】特開２０１１−１０４０４７号公報
【発明の概要】
【発明が解決しようとする課題】
【０００６】
しかしながら、弾球遊技機が設置される遊技ホールでは、遊技を演出するための様々な効果音が流れているので、ゴト行為を報知する報知音が効果音に掻き消されてしまい、遊技ホールの管理者が報知音に気付かない場合がある。このため、各種扉を開けた際に報知音を発生させるだけでは、ゴト行為の対策として十分ではなく、新たな対策が望まれていた。
【０００７】
また、こうしたゴト行為の対策は、弾球遊技機に限られるものではない。回胴式遊技機においても、遊技の進行を制御するための制御基板が内部に設けられており、開閉可能に形成された前面扉を不正な方法で開けて制御基板に細工を施される可能性があることから、同様の対策が必要である。
【０００８】
本発明は、上述した課題を解決するためになされたものであり、弾球遊技機や回胴式遊技機等の遊技機の内部あるいは裏面側に不正な細工を施すゴト行為の摘発を容易とする技術の提供を目的とする。
【課題を解決するための手段】
【０００９】
上述した課題の少なくとも一部を解決するために、本発明の遊技機は次の構成を採用した。すなわち、
遊技の進行に応じて特典を付与する遊技機であって、
前記遊技機に搭載されて、前記遊技の進行に関与する遊技部品と、
一端を軸とする回動動作で開閉が可能に設けられて、開放することによって前記遊技部品の設定状態の変更が可能となる開閉部と、
前記開閉部が所定の第１開放量まで開放されると、該第１開放量からの該開閉部の閉鎖を規制する規制手段と、
前記第１開放量よりも大きい第２開放量まで前記開閉部が開放されると、前記規制手段による規制を解除して該開閉部の閉鎖を可能とする規制解除手段と、
を備えることを特徴とする。
【００１０】
ここで、本発明の「遊技の進行に関与する遊技部品」とは、特典の付与に関するものであれば、どのようなものであってもよく、例えば、弾球遊技機（パチンコ機）では、遊技盤に設けられた遊技釘や、遊技の進行を制御するための制御基板などが該当する。また、回胴式遊技機（スロットマシン）では、遊技の進行を制御するための制御基板などが該当する。
【００１１】
このような遊技機では、遊技部品の設定状態を不正に変更して有利に特典を獲得する行為（ゴト行為）が行われることがあり、ゴト行為を行う者（ゴト行為者）が遊技部品の設定状態を変更するために開閉部を開放し、その開放量が第１開放量に達すると、閉鎖が規制されて開閉部を戻すことができなくなる。そして、開閉部を閉鎖するには、開閉部を更に第２開放量（＞第１開放量）まで開放しなければならない。このように開閉部を大きく開放させることにより、ゴト行為者の行動を周囲に目立たせることができ、遊技機が設置される遊技ホールの管理者がゴト行為を発見し易くすることができるため、ゴト行為の摘発が容易となる。
【００１２】
尚、第１開放量は、開閉部を開放して遊技部品の設定状態を変更することが可能となる最低量としておくことが望ましい。遊技部品の設定状態を変更するには、開閉部を第１開放量以上に開放しなければならないが、開放量が第１開放量を超えると、閉鎖方向に戻すことができなくなり、元通りに閉鎖するには更に大きく開放しなければならない（第２開放量以上まで開放しなければならない）ので、ゴト行為者の行動を周囲に目立たせてゴト行為の摘発を容易とすることができる。また、第２開放量は、大きく設定するほどゴト行為者の行動を周囲に目立たせる効果を高めることができ、開閉部を回動させる角度が９０度以上であることが望ましい。
【００１３】
また、上述した本発明の遊技機では、
前記開閉部の開閉に連動して所定の経路を移動する移動部を備え、
前記規制手段には、前記開閉部が前記第１開放量まで開放されたときの前記移動部の位置に設けられて、前記開閉部を開放する側への前記移動部の移動を可能とし、前記開閉部を閉鎖する側への前記移動部の移動を不能とする制限部が含まれる
こととしてもよい。
【００１４】
このようにすれば、開閉部の大きさにかかわらず、開閉部に連動する移動部や、移動部の移動を制限する制限部の小型化を図ることができる。これにより、遊技機内部の設置スペースに制約がある場合でも、本発明を適用することが可能となる。また、移動部や制限部を開閉部とは別体に設けることにより、既存の遊技機への適用が容易となる。
【００１５】
また、上述した本発明の遊技機では、
前記移動部が移動する経路は、前記開閉部を開放する際に前記移動部が通過する往路と、前記開閉部を閉鎖する際に前記移動部が通過する復路とを含み、
前記制限部は、前記往路に設けられ、
前記規制解除手段は、前記開閉部が前記第２開放量まで開放されると、前記移動部を前記復路に誘導することで該開閉部の閉鎖を可能とする
こととしてもよい。
【００１６】
このようにすれば、往路（開閉部の閉鎖が不能）と復路（開閉部の閉鎖が可能）とを含む経路に沿って移動部が一周するだけの単純な構成であり、複雑な機構を必要としないため、既存の遊技機にも容易に適用することができる。
【００１７】
また、こうした本発明の遊技機では、
前記制限部は、前記移動部が移動する経路の壁面に対して突出した突出状態と埋没した埋没状態とに変化可能に設けられ、前記開閉部を開放する際には前記埋没状態となって前記移動部の移動を可能とし、前記開閉部を閉鎖する際には前記突出状態となって前記移動部の移動を不能とする
こととしてもよい。
【００１８】
このようにすれば、開閉部を開放する際には制限部が埋没状態となって移動部を通過させるが、開閉部を第１開放量まで開放した後に閉鎖しようとすると、突出状態の制限部によって移動部の通過を阻止することができる。そして、開閉部を元通りに閉鎖するには第２開放量まで開放しなければならないので、ゴト行為者の行動を目立たせてゴト行為の摘発を容易とすることができる。
【００１９】
また、こうした本発明の遊技機では、
前記制限部には、前記開閉部を閉鎖する側へ移動する前記移動部が当接する部分に、衝撃を緩和する緩衝部が設けられている
こととしてもよい。
【００２０】
ゴト行為者は、開閉部を第１開放量まで開放して閉鎖できなくなると、ゴト行為の発覚をおそれて開閉部を強引に閉鎖しようとする可能性が高い。そこで、制限部に緩衝部を設けておけば、開閉部を強引に閉鎖しようとした際の衝撃（移動部が制限部にぶつかる衝撃）を緩和することができるので、移動部や制限部の破損を抑制することができる。
【発明の効果】
【００２１】
本発明によれば、弾球遊技機や回胴式遊技機等の遊技機の内部あるいは裏面側に不正な細工を施すゴト行為の摘発を容易とすることができる。
【図面の簡単な説明】
【００２２】
【図１】本実施例のパチンコ機の正面図である。
【図２】本実施例の遊技盤の盤面構成を示す説明図である。
【図３】本実施例のパチンコ機における制御回路の構成を示したブロック図である。
【図４】第１実施例のパチンコ機の前面枠を開いた状態を示した斜視図である。
【図５】第１実施例のゴト対策装置の構成を示した分解斜視図である。
【図６】前面枠の開閉に連動して連動竿の突起が基台の溝に沿って移動する様子を示した説明図である。
【図７】第１変形例のゴト対策装置の構成および動作を示した説明図である。
【図８】第２変形例のゴト対策装置の構成を示した説明図である。
【図９】第３変形例のゴト対策装置の構成を示した説明図である。
【図１０】第２実施例のゴト対策装置の構成および動作を示した説明図である。
【図１１】回胴式遊技機の構成を例示した斜視図である。
【発明を実施するための形態】
【００２３】
上述した本発明の内容を明確にするために、本発明を「セブン機」や「デジパチ」と呼ばれるタイプのパチンコ機に適用した実施例について説明する。
【００２４】
Ａ．パチンコ機の装置構成  ：
Ａ−１．装置前面側の構成  ：
図１は、本実施例のパチンコ機１の正面図である。図１に示すように、パチンコ機１の前面部は、大きくは、前面枠４、上皿部５、下皿部６、遊技盤１０などから構成されている。なお、図１では遊技盤１０の詳細な図示を省略している。前面枠４は、中枠３（図４参照）に取り付けられており、中枠３は本体枠２（図４参照）に取り付けられている。後述するように前面枠４の一端は中枠３に対して回動可能に軸支されており、中枠３の一端は本体枠２に対して回動可能に軸支されている。遊技盤１０は中枠３の前面側に着脱可能に取り付けられており、その前面側が前面枠４で覆われている。尚、本実施例の中枠３および前面枠４は、本発明の「開閉部」に相当している。
【００２５】
前面枠４は、プラスチック材料で成形されており、略中央部には円形状の窓部４ａが形成されている。この窓部４ａにはガラス板等の透明板が嵌め込まれており、奥側に配置される遊技盤１０の盤面が視認可能となっている。また、前面枠４には、遊技効果を高めるための各種ＬＥＤやランプ４ｂ〜４ｆが設けられている。前面枠４の下方には上皿部５が設けられており、上皿部５の下方には下皿部６が設けられている。また、前面枠４の右側には施錠装置９が設けられており、前面枠４の左側には球貸装置１３（いわゆるＣＲユニット）が設けられている。
【００２６】
上皿部５には、皿状の凹部と、凹部を取り巻くように形成された皿外縁部５ａとが設けられている。遊技球は、上皿部５に形成された凹部に投入されて、発射装置ユニット１２（図３参照）に供給される。皿外縁部５ａには、遊技球の貸し出しを要求するための球貸ボタン５ｂ、球貸装置１３からＩＣカードや磁気カード等の記憶媒体（以下、カード）を排出するための返却ボタン５ｃ、投入した遊技球を排出するための排出ボタンなどの各種ボタン類や、カードから読み込んだ残高（遊技球を貸出可能な金額）を表示する球貸表示部５ｅが設けられている。また、上皿部５の前面側には、演出ボタン５ｄが設けられており、本実施例のパチンコ機１では、演出ボタン５ｄに対する遊技者の操作を受けて、その操作を遊技演出に反映させることが可能となっている。加えて、上皿部５の下部にはスピーカー５ｙが設けられている。
【００２７】
下皿部６には、パチンコ機１の内部から遊技球を排出するための排出口６ａが設けられており、排出された遊技球は下皿部６内に貯留される。下皿部６の右端には発射ハンドル８が設けられている。発射ハンドル８には、遊技者がハンドルに触れていることを検出するタッチスイッチ８ａが設けられている。発射ハンドル８の回転軸は、下皿部６の奥側に搭載された図示しない発射装置ユニット１２に接続されており、遊技者が発射ハンドル８を回転させると、その動きが発射装置ユニット１２に伝達され、ユニットに内蔵された図示しない発射モータが回転して、回転角度に応じた強さで遊技球が発射される。
【００２８】
Ａ−２．遊技盤の構成  ：
図２は、遊技盤１０の盤面構成を示す説明図である。前述したように、遊技盤１０は中枠３の前面側に着脱可能に取り付けられている。図２に示すように、遊技盤１０の中央には、外レール１４と内レール１５とによって囲まれた略円形状の遊技領域１１が形成されている。上述した発射装置ユニット１２から発射された遊技球は、外レール１４と内レール１５との間を通って遊技領域１１に放出され、遊技領域１１の上方から下方に向かって流下する。
【００２９】
遊技領域１１の略中央には中央装置２６が設けられており、中央装置２６のほぼ中央には演出表示装置２７が設けられている。演出表示装置２７は液晶表示器によって構成されており、その表示画面上では、識別図柄などの種々の演出図柄を変動表示した後に停止表示すると共に、背景画像を表示することが可能となっている。
【００３０】
中央装置２６の左斜め下方には第１図柄表示装置２８が設けられ、中央装置２６の右斜め下方には第２図柄表示装置３２が設けられている。このうち、第１図柄表示装置２８では、普通図柄や第１特別図柄を変動表示することが可能となっており、第２図柄表示装置３２では、第２特別図柄を変動表示することが可能となっている。尚、以下では、普通図柄を「普図」と略記し、第１特別図柄を「第１特図」と略記し、第２特別図柄を「第２特図」と略記することがあるものとする。
【００３１】
遊技領域１１の左端および右端には、普通図柄左作動ゲート３６と普通図柄右作動ゲート３７とが設けられており、これらのゲートの内部には、遊技球の通過を検出するゲートスイッチ３６ｓ，３７ｓがそれぞれ設けられている。また、左右の普通図柄作動ゲート３６，３７と中央装置２６との間には、ランプ風車２４，２５が設けられている。更に、これら各遊技装置の間および周辺には、多数の障害釘２３が設けられている。尚、パチンコ機１の遊技盤に設けられた障害釘２３は、本発明の「遊技部品」に相当している。
【００３２】
また、中央装置２６の下方には、始動口ユニット１７が設けられている。始動口ユニット１７は、２つの始動口が上下に組み合わせて構成されており、上側に設けられた第１始動口１７ａは、遊技球が入球する開口部の大きさが不変（一定）で遊技球が常時入球可能な入球口となっている。一方、下側に設けられた第２始動口１７ｂは、左右に開閉可能な一対の翼片部や、翼片部を動作させる始動口ソレノイド１７ｍ（図３参照）などで構成されており、翼片部の開閉によって遊技球の入球可能性が変化する入球口となっている。第１始動口１７ａあるいは第２始動口１７ｂに入球した遊技球は、それぞれの内部に設けられた通路を通って遊技盤１０の裏面側に導かれる。第１始動口１７ａの内部の通路には第１始動口スイッチ１７ｓが設けられており、第１始動口１７ａに入球した遊技球を検出可能である。また、第２始動口１７ｂの内部の通路には第２始動口スイッチ１７ｔが設けられており、第２始動口１７ｂに入球した遊技球を検出可能である。尚、第２始動口１７ｂを開閉可能な一対の翼片部や、第１始動口スイッチ１７ｓや、第２始動口スイッチ１７ｔは、本発明の「遊技部品」に相当している。
【００３３】
始動口ユニット１７の下方には、大入賞装置３１が設けられている。この大入賞装置３１は、略長方形状に大きく開放する大入賞口３１ｄや、大入賞口３１ｄを開閉させる開閉部材３１ｅ、開閉部材３１ｅを動作させる大入賞口ソレノイド３１ｍ（図３参照）などから構成されている。後述する所定の条件が成立すると、大入賞口ソレノイド３１ｍが作動して開閉部材３１ｅが開動作され、大入賞口３１ｄが開放状態となる。この結果、遊技球が高い確率で大入賞口３１ｄに入球する遊技者にとって有利な大当り遊技が開始される。また、大入賞口３１ｄの内部には大入賞口スイッチ３１ｓが設けられており、大入賞口３１ｄに入球した遊技球を検出することが可能である。また、大入賞装置３１の下方にはアウト口４８が設けられ、そのアウト口４８の下方にはバック球防止部材５８が設けられている。バック球防止部材５８は、遊技領域１１に到達せず戻ってきた遊技球が再び発射位置に戻ることを防止する機能を有している。尚、大入賞口３１ｄを開閉させる開閉部材３１ｅは、本発明の「遊技部品」に相当している。
【００３４】
Ａ−３．制御回路の構成  ：
次に、本実施例のパチンコ機１における制御回路の構成について説明する。図３は、本実施例のパチンコ機１における制御回路の構成を示したブロック図である。図示されているようにパチンコ機１の制御回路は、多くの制御基板や、各種基板、中継端子板などから構成されているが、その機能に着目すると、遊技の基本的な進行や賞球に関わる当否についての制御を司る主制御基板２００と、演出図柄やランプや効果音などを用いた遊技の演出の制御を司るサブ制御基板２２０と、サブ制御基板２２０の制御の下で演出表示装置２７の制御を行う演出制御基板２３０と、貸球や賞球を払い出す動作の制御を司る払出制御基板２４０と、遊技球の発射に関する制御を司る発射制御基板２６０などから構成されている。これら制御基板は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭなど、種々の周辺ＬＳＩがバスで相互に接続されて構成されている。尚、図３中に示した矢印の向きは、データあるいは信号を送受信する方向を表している。また、本実施例の主制御基板２００、サブ制御基板２２０、演出制御基板２３０、装飾駆動基板２２６、演出ボタン基板２２８、払出制御基板２４０は、本発明の「遊技部品」に相当している。
【００３５】
主制御基板２００のＣＰＵ２０１は、第１始動口スイッチ１７ｓや、第２始動口スイッチ１７ｔ、大入賞口スイッチ３１ｓ、ゲートスイッチ３６ｓ，３７ｓなどから遊技球の検出信号を受信すると、何れのスイッチからの検出信号であるかに応じて定められる各種の動作を指令するコマンドを、サブ制御基板２２０や、払出制御基板２４０、発射制御基板２６０などに向かって送信する。また、主制御基板２００には、第２始動口１７ｂに設けられた一対の翼片１７ｗを開閉させるための始動口ソレノイド１７ｍや、大入賞口３１ｄを開閉させるための大入賞口ソレノイド３１ｍ、更には、第１図柄表示装置２８、第２図柄表示装置３２などが接続されている。主制御基板２００のＣＰＵ２０１は、これら各種ソレノイド１７ｍ，３１ｍ、第１図柄表示装置２８、第２図柄表示装置３２に向かって駆動信号を送信することにより、これらの動作の制御も行う。
【００３６】
サブ制御基板２２０には、演出制御基板２３０、装飾駆動基板２２６、アンプ基板２２４、演出ボタン基板２２８などが接続されている。サブ制御基板２２０のＣＰＵ２２１は、主制御基板２００からの各種コマンドを受信すると、コマンドの内容を解析して、その結果に応じた遊技の演出を行う。すなわち、演出表示装置２７の表示制御を行う演出制御基板２３０に対して制御内容を指定するコマンドを送信したり、スピーカー５ｙを駆動するアンプ基板２２４、装飾用の各種ＬＥＤやランプ４ｂ〜４ｆを駆動する装飾駆動基板２２６に駆動信号を送信したりすることにより、遊技の演出を行う。また、サブ制御基板２２０のＣＰＵ２２１は、演出ボタン基板２２８を介して演出ボタン５ｄの操作信号を受信すると、その操作に対応する演出を行う。
【００３７】
演出制御基板２３０は、ＣＰＵ２３１、ＲＯＭ２３２、ＲＡＭ２３３に加えて、画像ＲＯＭ２３４やＶＤＰ（図示せず）を備えている。演出制御基板２３０のＣＰＵ２３１は、サブ制御基板２２０からコマンドを受信すると、その受信したコマンドに対応する演出画像を演出表示装置２７の表示画面に表示するための制御を行う。画像ＲＯＭ２３４には、図柄変動演出や大当り遊技演出など種々の遊技演出に対応する演出画像のデータ（例えば、所定のキャラクタに対応する画像を表示するためのスプライトデータや動画データなど）が格納されている。
【００３８】
払出制御基板２４０は、いわゆる賞球や貸球の払い出しに関する各種の制御を司っている。例えば、主制御基板２００から賞球の払出コマンドが送信されると、このコマンドを払出制御基板２４０が受信して、払出モータ５０ｍに駆動信号を送信することによって賞球の払い出しを行う。また、払出制御基板２４０は、主制御基板２００からの制御の下で、遊技球の発射を許可する信号（発射許可信号）を発射制御基板２６０に向かって送信しており、発射制御基板２６０は、この発射許可信号を受信して、発射装置ユニット１２の駆動により遊技球を発射するための各種制御を行っている。さらに、遊技者が前述した上皿部５に設けられた球貸ボタン５ｂや返却ボタン５ｃを操作すると、その操作信号は、球貸表示基板２４４から中継端子板２４２を介して、球貸装置１３に伝達される。球貸装置１３は、払出制御基板２４０と通信しながら、貸球の払い出しを行う。尚、球貸装置１３は、中継端子板２４２および球貸表示基板２４４を介して、上皿部５に設けられた球貸表示部５ｅの表示制御も行っている。
【００３９】
Ｂ．遊技の概要  ：
上述した構成を有する本実施例のパチンコ機１では、次のようにして遊技が行われる。先ず、遊技者が球貸装置１３にカードを挿入して遊技球の貸し出しを受ける。そして、貸し出された遊技球を上皿部５の凹部に投入して発射ハンドル８を回転させると、上皿部５に投入された遊技球が、１球ずつ発射装置ユニット１２に供給されて、図２を用いて前述した遊技領域１１に発射される。遊技球を打ち出す強さは、発射ハンドル８の回転角度によって調整することが可能となっており、遊技者は発射ハンドル８の回転角度を変化させることによって、遊技球の狙いを付けることができる。
【００４０】
発射した遊技球が、遊技領域１１の左右に設けられた何れかの普通図柄作動ゲート３６，３７を通過すると、中央装置２６の左下方に設けられた第１図柄表示装置２８において普通図柄の変動表示が開始される。第１図柄表示装置２８には、普通図柄を表示するためのＬＥＤ（普通図柄ＬＥＤ）が設けられおり、この普通図柄ＬＥＤの点滅を繰り返すことによって普通図柄の変動表示を行う。そして、予め定められた時間だけ点滅を繰り返した後、普通図柄ＬＥＤが点灯状態で停止した場合には、普通図柄の当りとなって、第２始動口１７ｂ（始動口ユニット１７の下側の始動口）が所定の開放時間だけ開放状態となる。逆に、普通図柄ＬＥＤが消灯状態で停止した場合には普通図柄の外れとなって、第２始動口１７ｂが開放することはない。尚、普通図柄が当りとなるか外れとなるかは、主制御基板２００のＣＰＵ２０１が行う普通図柄の当り判定で決定される。主制御基板２００のＣＰＵ２０１は、遊技球が普通図柄作動ゲート３６，３７を通過した際に乱数の値を取得し、その取得した乱数値を用いて当り判定テーブルを参照しながら普通図柄の当り判定を行う。当り判定テーブルとは、乱数の値に対応付けて「当り」または「外れ」の判定結果が設定されているテーブルであり、主制御基板２００のＲＯＭ２０２に予め記憶されている。
【００４１】
また、遊技領域１１に発射した遊技球が第１始動口１７ａに入球すると第１図柄表示装置２８で第１特別図柄（第１特図）の変動表示が開始され、第２始動口１７ｂに入球すると第２図柄表示装置３２で第２特別図柄（第２特図）の変動表示が開始される。第１図柄表示装置２８には、第１特図を表示するための複数のＬＥＤ（第１特図ＬＥＤ）が設けられ、第２図柄表示装置３２には、第２特図を表示するための複数のＬＥＤ（第２特図ＬＥＤ）が設けられており、これらのＬＥＤが所定の変動時間が経過するまで変動表示（点滅）した後、大当り態様または外れ態様で停止表示する。加えて、中央装置２６の演出表示装置２７では、特別図柄（第１特図、第２特図）と連動して識別図柄の変動表示や停止表示が行われる。尚、特別図柄を何れの態様で停止表示させるかは、主制御基板２００のＣＰＵ２０１が行う特別図柄の大当り判定で決定される。主制御基板２００のＣＰＵ２０１は、遊技球が始動口（第１始動口１７ａ、第２始動口１７ｂ）に入球した際に乱数の値を取得し、その取得した乱数値を用いて大当り判定テーブルを参照しながら特別図柄の大当り判定を行う。大当り判定テーブルとは、乱数の値に対応付けて「大当り」または「外れ」の判定結果が設定されているテーブルであり、主制御基板２００のＲＯＭ２０２に予め記憶されている。そして、大当り判定の結果が「大当り」となって特別図柄が大当り態様で停止表示されると、大入賞口３１ｄが開放状態となる大当り遊技が開始される。
【００４２】
大当り遊技は、大入賞口３１ｄを開放して、所定の開放時間（例えば３０秒）が経過するか、あるいは規定入球数（例えば９個）の遊技球が入球したら閉鎖するラウンド遊技を、複数回繰り返すように構成されている。大入賞口３１ｄに遊技球が１個入球する毎に所定数（例えば１５個）の遊技球が賞球として払い出されるので、大当り遊技では、開放状態の大入賞口３１ｄに多くの遊技球を入球させることで、遊技者は多量の賞球を獲得可能である。
【００４３】
また、本実施例のパチンコ機１では、特別図柄が大当り態様で停止表示する確率（大当り確率）として、低確率と、低確率よりも高い高確率とが設けられている（低確率用の大当り判定テーブルと高確率用の大当り判定テーブルとが設けられている）。大当り遊技が終了すると、特別図柄の変動回数が所定回数（例えば３０回）に達するまで大当り確率が高確率に設定される。さらには、大当り遊技の終了後は、第２始動口１７ｂの開放時間が通常よりも長く設定される開放延長機能や、特別図柄（第１特図および第２特図）の変動時間が通常よりも短く設定される変動短縮機能が作動し、これらの機能は、特別図柄の変動回数が所定回数（例えば５０回）に達するまで継続される。
【００４４】
以上のようにして遊技が行われるパチンコ機１では、前面枠４や中枠３を開放してパチンコ機１の内部あるいは裏面側に何らかの細工を施すことにより（例えば、上述した「遊技部品」に細工を施すことにより）、不正に多量の賞球を獲得する行為（いわゆるゴト行為）が行われることがある。そこで、本実施例のパチンコ機１では、こうしたゴト行為の摘発を容易とするための装置（以下、ゴト対策装置）が設けられている。以下では、ゴト対策装置の構成や、ゴト行為の摘発を容易にできる理由について説明する。
【００４５】
Ｃ．第１実施例のゴト対策装置  ：
図４は、第１実施例のパチンコ機１の前面枠４を開いた状態を示した斜視図である。尚、図４では、遊技盤１０の詳細な図示（図２参照）を省略している。図示されているように前面枠４は、一端（図中の左端）が中枠３に軸支されており、回動動作で開閉が可能である。この前面枠４は、閉鎖時には施錠装置９によって施錠されている。遊技ホールの管理者は、施錠装置９の鍵穴に専用の鍵を挿入して左方向（反時計回り）に回転させると、施錠装置９を開錠して前面枠４を開放することができる。そして、前面枠４を開放することにより、遊技盤１０に設けられた障害釘２３の調整を行ったり、遊技盤１０面上で遊技球が詰まった状態（いわゆるブドウ）を解消したりすることができる。加えて、第１実施例のパチンコ機１の上皿部５は、一端（図中の左端）が中枠３に軸支されており、回動動作で開閉が可能である。この上皿部５は、閉鎖時にはロックがかかっており、前面枠４を開放することで現れる図示しないレバーを操作すると、ロックを解除して上皿部５を開放することができる。この上皿部５を開放することにより、発射ハンドル８の奥側に搭載された発射装置ユニット１２の調整や部品交換が可能となる。尚、前面枠４と上皿部５とを一体に設けておく、あるいは前面枠４と上皿部５と下皿部６とを一体に設けておくこととして、施錠装置９の開錠により開放可能としてもよい。
【００４６】
また、第１実施例のパチンコ機１の中枠３は、一端（図中の左端）が本体枠２に軸支されており、回動動作で開閉が可能である。前面枠４と同様に、中枠３も閉鎖時には施錠装置９によって施錠されており、鍵穴に専用の鍵を挿入して右方向（時計回り）に回転させると、施錠装置９を開錠して中枠３を開放することができる。パチンコ機１の裏面側には、前述した賞球に関わる当否の判定（大当り判定）が行われる主制御基板２００が設けられており、遊技ホールの管理者は、中枠３を開放することにより、主制御基板２００を点検したり交換したりすることができる。
【００４７】
このように前面枠４や中枠３は施錠装置９によって施錠されており、開放するには専用の鍵が必要であるものの、不正な方法で施錠装置９を開錠してゴト行為が行われることがある。例えば、前面枠４を開放して遊技盤１０の障害釘２３を調整することによって、始動口（第１始動口１７ａ、第２始動口１７ｂ）に遊技球が入球する可能性を高めるゴト行為が行われることがある。また、不正な方法で施錠装置９を開錠することで前面枠４を開放して、遊技盤１０に設けられた第２始動口１７ｂの閉鎖状態の翼片部や、閉鎖状態の開閉部材３１ｅをこじ開けることにより、第２始動口スイッチ１７ｔや大入賞口スイッチ３１ｓで遊技球を検出させるゴト行為が行われることがある。さらに、中枠３を開放して、主制御基板２００のＲＯＭ２０２を、大当り確率が正規の確率に設定されたものから、大当り確率が正規の確率よりも高く設定された不正なものに交換することによって、特別図柄の大当り判定で大当りとなる確率を高めるゴト行為が行われることがある。そして、不正な細工を施した後に前面枠４や中枠３が元通りに閉鎖されてしまえば、遊技ホールの管理者によるゴト行為の摘発は困難となる。
【００４８】
こうしたゴト行為の摘発を容易とするために、第１実施例のパチンコ機１では、図４に示すように、前面枠４が中枠３に対して軸支されている部分の下端にゴト対策装置１００が設けられている。尚、以下では、前面枠４を開放して行われるゴト行為の摘発を容易とするために前面枠４に対して取り付けられたゴト対策装置１００を例に説明するが、中枠３や上皿部５や下皿部６に対して同様にゴト対策装置１００を取り付けておくこととしてもよい。
【００４９】
図５は、第１実施例のゴト対策装置１００の構成を示した分解斜視図である。図示されているように第１実施例のゴト対策装置１００は、基台１０２と、連動竿１２０とから構成されている。連動竿１２０の一端の下面側（基台１０２に向いた側）には、突起１２２が設けられている。また、連動竿１２０の突起１２２が設けられた一端とは反対側の他端は、前面枠４に対して回動可能に軸支される。
【００５０】
一方、基台１０２は、中枠３側に固定される。基台１０２の上面側（連動竿１２０に向いた側）には、溝１０４が形成されており、この溝１０４に連動竿１２０の突起１２２が嵌め込まれる。尚、図５では、溝１０４が形成されていることを強調するために基台１０２の上面にハッチングを付して表している。後述のように基台１０２の溝１０４は、前面枠４の開閉に連動して連動竿１２０の突起１２２が移動する経路となっており、前面枠４を開放する際に突起１２２が通る往路１０４ａと、前面枠４を閉鎖する際に突起１２２が通る復路１０４ｂとを連結して環状に形成されている。また、往路１０４ａには、往路１０４ａの幅を変化させる鉤状の掛止部１０６が設けられている。尚、第１実施例の基台１０２では、溝１０４を形成して突起１２２の移動経路としたが、これに限られるものではなく、突起１２２の移動経路の内周面を構成する凸部と、凸部を囲んで移動経路の外周面を構成する周囲壁とに分けて形成してもよい。また、第１実施例の溝１０４は、本発明の「経路」に相当しており、前面枠４（開閉部）の開閉に連動する第１実施例の突起１２２は、本発明の「移動部」に相当している。
【００５１】
図６は、前面枠４の開閉に連動して連動竿１２０の突起１２２が基台１０２の溝１０４に沿って移動する様子を示した説明図である。図６では、第１実施例のゴト対策装置１００を上方から見た状態を表している。先ず、図６（ａ）には、前面枠４の閉鎖時の状態が示されている。基台１０２の溝１０４は横長の環状に形成されており、前面枠４の閉鎖時には、連動竿１２０の突起１２２が溝１０４の長手方向の一端（前面枠４の回転軸４ｓから遠い側の端で図中の右端）に位置している。図６（ａ）の状態から前面枠４を開放すると、連動竿１２０の突起１２２が連動して基台１０２の手前側（図中の下側）の往路１０４ａを図中の左方向に移動する。
【００５２】
そして、前面枠４を所定の第１開放量（図示した例では３０度）まで開放すると、図６（ｂ）に示されているように、連動竿１２０の突起１２２が往路１０４ａの掛止部１０６の位置まで移動する。鉤状に形成された掛止部１０６では、往路１０４ａの幅が急に広がって段差があり、前面枠４の開放に連動する方向（図中の左方向）へは突起１２２の移動が可能であるものの、前面枠４の閉鎖に連動する方向（図中の右方向）へは突起１２２が掛止部１０６の段差に引っ掛かるので移動が規制される。その結果、前面枠４は、第１開放量まで開放すると、その位置から閉鎖方向に戻すことができなくなる。尚、突起１２２（移動部）の移動を制限する第１実施例の掛止部１０６は、本発明の「制限部」に相当している。また、第１実施例のゴト対策装置１００は、突起１２２が掛止部１０６に引っ掛かることで前面枠４（開閉部）の閉鎖を規制することから、本発明の「規制手段」に相当している。
【００５３】
続いて、前面枠４を更に開放して第２開放量（図示した例では９０度）まで開放すると、図６（ｃ）に示されているように、連動竿１２０の突起１２２が溝１０４の長手方向の他端（前面枠４の回転軸４ｓに近い側の端で図中の左端）の位置まで移動する。尚、第１実施例では、第２開放量が前面枠４の最大開放量となっている。こうして図６（ｃ）の状態になると、連動竿１２０の突起１２２は基台１０２の奥側（図中の上側）の復路１０４ｂに回り込むことが可能となる。
【００５４】
そして、図６（ｃ）の状態から前面枠４を閉鎖すると、連動竿１２０の突起１２２が連動して復路１０４ｂを図中の右方向に移動する。復路１０４ｂでは、往路１０４ａのような掛止部１０６が設けられていないので、突起１２２の移動が規制されることはなく、図６（ｄ）に示されているように、前面枠４は、第１開放量（図６（ｂ）参照）よりも閉鎖することができる。さらに、前面枠４を完全に閉鎖すると、連動竿１２０の突起１２２が溝１０４の長手方向の一端（図中の右端）まで移動して、図６（ａ）の状態に戻る。尚、第１実施例のゴト対策装置１００は、突起１２２が往路１０４ａから復路１０４ｂに回り込むことで前面枠４（開閉部）の閉鎖を可能とすることから、本発明の「規制解除手段」に相当している。
【００５５】
以上に説明したように第１実施例のパチンコ機１では、前面枠４にゴト対策装置１００が取り付けられており、ゴト行為を行う者（以下、ゴト行為者）が遊技盤１０の障害釘２３を調整するために前面枠４を不正に開放し、その開放量が第１開放量に達すると、閉鎖が規制されて前面枠４を戻すことができなくなる。そして、前面枠４を閉鎖するには、前面枠４を更に大きく開放して一旦は第２開放量まで開放しなければならない。このように前面枠４を大きく開放させてゴト行為者の動作を周囲に目立たせることにより、遊技ホールの管理者の目に留まる可能性が高まるので、ゴト行為の摘発を容易とすることができる。
【００５６】
尚、第１開放量は、前面枠４を開放して遊技盤１０の障害釘２３を調整することが可能となる最低量としておくことが望ましい。障害釘２３を調整して始動口１７ａ、１７ｂに遊技球が入球し易くするには、前面枠４を第１開放量以上に開放しなければならないが、開放量が第１開放量を超えると、閉鎖方向に戻すことができなくなり、元通りに閉鎖するには更に大きく開放しなければならないので、ゴト行為者の動作を周囲に目立たせてゴト行為の摘発を容易とすることができる。また、第２開放量は、大きいほどゴト行為者の動作を周囲に目立たせる効果を高めることができ、９０度以上に設定しておくことが望ましい。
【００５７】
また、第１実施例のゴト対策装置１００は、前面枠４の開閉に連動して連動竿１２０の突起１２２が基台１０２の溝１０４に沿って移動する構成となっており、この溝１０４は、往路１０４ａと復路１０４ｂとを連結して環状に形成されている。そして、前面枠４を第１開放量まで開放すると、往路１０４ａに設けられた鉤状の掛止部１０６に突起１２２が引っ掛かって前面枠４の閉鎖が規制されると共に、前面枠４を更に開放して第２開放量まで開放すると、突起１２２が復路１０４ｂに回り込んで前面枠４の閉鎖が可能となる。このように第１実施例のゴト対策装置１００によれば、基台１０２に設けられた環状の溝１０４（移動経路）に沿って連動竿１２０の突起１２２が一周するだけの単純な構成であり、複雑な機構を必要としないため、既存のパチンコ機１にも容易に適用することができる。
【００５８】
Ｄ．変形例  ：
上述した第１実施例の遊技機１には、次のような変形例も存在する。以下では、上述の第１実施例とは異なる点を中心に変形例を説明する。尚、変形例の説明にあたっては、上述の第１実施例と同じ構成部分については同じ符号を付すこととして説明を省略する。
【００５９】
Ｄ−１．第１変形例  ：
図７は、第１変形例のゴト対策装置１００の構成および動作を示した説明図である。図７では、第１変形例のゴト対策装置１００を上方から見た状態を表しており、図示が煩雑になるのを避けるため、連動竿１２０や前面枠４の記載を省略している。図７に示した第１変形例のゴト対策装置１００の往路１０４ａには、図６に示した第１実施例のような往路１０４ａの幅を変更する鉤状の掛止部１０６が設けられておらず、往路１０４ａの幅は一定である。その代わりに第１変形例の往路１０４ａには、往路１０４ａを閉塞する閉塞部材１０８が設けられている。この閉塞部材１０８は、基台１０２の溝１０４（突起１２２の移動経路）の内周面を構成する凸部１０３に埋没可能に設けられており、且つ、凸部１０３に内蔵された付勢バネ１１０によって凸部１０３から突出する（往路１０４ａを閉塞する）方向に付勢されている。また、閉塞部材１０８は、上方から見て略直角三角形に形成されており、前面枠４の開放に連動して突起１２２が移動する方向における下手側（図中の左側）が往路１０４ａに対して直交しているのに対して、上手側（図中の右側）が往路１０４ａに対して傾斜している。
【００６０】
先ず、図７（ａ）には、前面枠４の閉鎖時の状態が示されている。この状態では、連動竿１２０の突起１２２は溝１０４の長手方向の一端（図中の右端）に位置しており、閉塞部材１０８は、付勢バネ１１０の付勢力によって凸部１０３から突出して往路１０４ａを閉塞している。
【００６１】
図７（ａ）の状態から前面枠４を開放すると、連動して連動竿１２０の突起１２２が往路１０４ａを図中の左方向に移動して、閉塞部材１０８によって閉塞された位置に達する。前述したように、往路１０４ａに設けられた閉塞部材１０８の上手側（図中の右側）は往路１０４ａに対して傾斜しているため、突起１２２が閉塞部材１０８の傾斜に当接しながら更に移動すると、図７（ｂ）に示されているように閉塞部材１０８は凸部１０３に向かって押圧され、付勢バネ１１０の付勢力に抗して凸部１０３に埋没する。
【００６２】
こうして連動竿１２０の突起１２２が閉塞部材１０８を踏み越えるようにして通過すると、図７（ｃ）に示されているように、閉塞部材１０８は、付勢バネ１１０の付勢力によって復元（凸部１０３から突出）し、再び往路１０４ａを閉塞した状態となる。尚、第１変形例のゴト対策装置１００では、前面枠４を第１開放量（例えば、３０度）まで開放すると、突起１２２が閉塞部材１０８を通過した位置まで移動するように閉塞部材１０８が配置されている。
【００６３】
図７（ｃ）の状態から前面枠４を閉鎖しようとすると、連動して連動竿１２０の突起１２２が往路１０４ａを図中の右方向に移動して閉塞部材１０８に当接する。閉塞部材１０８の下手側（図中の左側）は往路１０４ａに対して直交しているため、突起１２２が当接しても閉塞部材１０８が凸部１０３に埋没することはなく、突起１２２の移動を不能とする。その結果、前面枠４は、第１開放量から閉鎖方向に戻すことができなくなる。尚、突起１２２（移動部）の移動を制限する第１変形例の閉塞部材１０８は、本発明の「制限部」に相当している。
【００６４】
一方、前面枠４を更に開放して第２開放量（例えば、９０度）まで開放すると、連動竿１２０の突起１２２が溝１０４の長手方向の他端（図中の左端）まで移動し、復路１０４ｂに回り込むことが可能となる。その後、前面枠４を閉鎖すると、連動して突起１２２が復路１０４ｂを図中の右方向に移動し、前面枠４を完全に閉鎖することによって図７（ａ）の状態に戻る。
【００６５】
以上に説明したように第１変形例のゴト対策装置１００を備えるパチンコ機１では、前述した第１実施例と同様に、ゴト行為者が前面枠４を第１開放量まで開放すると、閉鎖が規制されて前面枠４を戻すことができなくなり、閉鎖するには前面枠４を更に大きく開放して第２開放量まで開放しなければならないので、ゴト行為者の動作を周囲に目立たせてゴト行為の摘発を容易とすることができる。そして、第１変形例のゴト対策装置１００では、往路１０４ａに閉塞部材１０８が設けられており、この閉塞部材１０８は、前面枠４が開放される際には埋没して突起１２２の移動を可能としつつ、前面枠４が閉鎖される際には往路１０４ａを閉塞したままなので、前面枠４の閉鎖方向への突起１２２の移動をより確実に規制することができる。
【００６６】
Ｄ−２．第２変形例  ：
図８は、第２変形例のゴト対策装置１００の構成を示した説明図である。図８では、第２変形例のゴト対策装置１００の基台１０２を上方から見た状態を表している。図８に示した第２変形例の基台１０２の形状は、図６に示した第１実施例の基台１０２と基本的には同じである。但し、第２変形例の基台１０２では、往路１０４ａに設けられた掛止部１０６に、ゴム等の弾性材料で形成された緩衝部材１１２を備えている。この緩衝部材１１２は、第１開放量まで開放した前面枠４を閉鎖しようとした際に連動竿１２０の突起１２２が掛止部１０６に当接する（引っ掛かる）部分に設置されている。尚、第２変形例の緩衝部材１１２は、本発明の「緩衝部」に相当している。
【００６７】
ゴト行為者は、前面枠４を第１開放量まで開放した状態で前面枠４の閉鎖が規制されると、発覚をおそれて前面枠４を強引に閉鎖しようとする可能性が高い。そこで、掛止部１０６に緩衝部材１１２を設けておけば、ゴト行為者が前面枠４を強引に閉鎖しようとする際の衝撃（連動竿１２０の突起１２２が掛止部１０６にぶつかる衝撃）を吸収することができるので、突起１２２や掛止部１０６の破損を抑制することができる。
【００６８】
尚、緩衝部材１１２は、衝撃を吸収できるものであればよく、バネなどを設置してもよい。また、緩衝部材１１２を突起１２２側に設置することとしてもよい。こうした緩衝部材１１２は、前述した第１変形例に適用することも可能である。すなわち、第１変形例の閉塞部材１０８の側面（第１開放量まで開放した前面枠４を閉鎖する際に突起１２２が閉塞部材１０８に当接する部分）に設けることとしてもよい。
【００６９】
Ｄ−３．第３変形例  ：
図９は、第３変形例のゴト対策装置１００の構成を示した説明図である。図９では、第３変形例のゴト対策装置１００の基台１０２を上方から見た状態を表している。図示されているように、第３変形例の基台１０２には、第１実施例と同様の鉤状の掛止部１０６が往路１０４ａに沿って複数（図示した例では３つ）設けられており、それぞれの掛止部（１０６ａ、１０６ｂ、１０６ｃ）において、前面枠４の開放に連動する方向（図中の左方向）へは突起１２２の移動が可能であるものの、前面枠４の閉鎖に連動する方向（図中の右方向）へは突起１２２が掛止部１０６の段差に引っ掛かって移動が規制される。
【００７０】
第３変形例のゴト対策装置１００では、前面枠４を開放量ａ（例えば２０度）まで開放すると、連動竿１２０の突起１２２が第１掛止部１０６ａの位置に移動して前面枠４の閉鎖を規制する。また、前面枠４を開放量ｂ（例えば４０度）まで開放すると、突起１２２が第２掛止部１０６ｂの位置に移動して前面枠４の閉鎖を規制し、さらに、前面枠４を開放量ｃ（例えば６０度）まで開放すると、突起１２２が第３掛止部１０６ｃの位置に移動して前面枠４の閉鎖を規制する。そして、前面枠４を開放量ｄ（例えば９０度）まで開放すると、突起１２２が溝１０４の図中の左端に達し、復路１０４ｂに回り込むことで前面枠４の閉鎖が可能となる。
【００７１】
このような第３変形例のゴト対策装置１００を備えるパチンコ機１では、前面枠４を開放した開放量に応じて前面枠４の閉鎖が規制される位置（角度）が変化するので、次のような理由から、ゴト行為の摘発の可能性を高めることができる。先ず、前面枠４を開放量ａ（２０度）まで開放すると、その時点で前面枠４の閉鎖が規制され、開放量ｄ（９０度）まで開放しないと前面枠４を完全に閉鎖することができなくなる。それだけでなく、前面枠４を開放量ｂ（４０度）まで開放した時点で、開放量ａに戻すことができなくなり、さらに、前面枠４を開放量ｃ（６０度）まで開放した時点で、開放量ｂに戻すことができなくなる。そして、開放量ｂや開放量ｃの状態で前面枠４の閉鎖が規制されると、開放量ａの状態に比べてゴト行為が遊技ホールの管理者の目に留まる可能性が高いので、前面枠４を強引に閉鎖しようとしているゴト行為者の摘発が容易となる。
【００７２】
また、このように前面枠４の閉鎖が規制される開放量を多段式にする場合には、最小の開放量の設定を小さくすることで、前面枠４をわずかに開放しただけでも閉鎖が規制されるので、ゴト行為対策をより厳重にすることができる。この場合でも、実際にゴト行為者が遊技盤１０の障害釘２３を調整可能な開放量まで前面枠４を開放すると、もはや最小の開放量に戻すことはできないので、ゴト行為の摘発を逃れることを困難にすることができる。加えて、このような第３変形例のゴト対策装置１００に、前述した第２変形例の緩衝部材１１２を適用することも可能である。すなわち、第３変形例の掛止部（１０６ａ、１０６ｂ、１０６ｃ）の各々の側面（開放量ａ、ｂ、ｃの各々まで開放した前面枠４を閉鎖する際に突起１２２が当接する部分）に設けておけば、ゴト行為者が前面枠４を閉鎖しようとする衝撃を吸収して、突起１２２や掛止部（１０６ａ、１０６ｂ、１０６ｃ）の破損を抑制することができる。
【００７３】
Ｅ．第２実施例のゴト対策装置  ：
図１０は、第２実施例のゴト対策装置１５０の構成および動作を示した説明図である。第２実施例のゴト対策装置１５０も、前述した第１実施例のゴト対策装置１００と同様に、前面枠４が中枠３に対して軸支されている部分の下端に設けられている（図４参照）。図１０では、第２実施例のゴト対策装置１５０をパチンコ機１に設置した状態で上方から見た様子を表している。図示されているように第２実施例のゴト対策装置１５０は、大まかには爪片１５２と、カム板１６０と、回動板１７０とから構成されている。
【００７４】
回動板１７０は、外周に爪片１５２と噛み合う複数（図示した例では４つ）のラチェット歯１７４ａ〜ｄや、ラチェット歯１７４よりも一回り大きい歯止め１７６が形成されたラチェット部１７２と、前面枠４に固定される固定部１８０と有している。この回動板１７０は、ラチェット部１７２の略中央で前面枠４の回転軸４ｓによって軸支され、前面枠４の開閉に連動して回動可能となっている。また、ラチェット部１７２は、カム板１６０と重ね合わされる部分であり、カム板１６０側に突設された当り部１７８を有している。
【００７５】
カム板１６０は、爪片１５２がラチェット歯１７４と噛み合わないようにするために外径がラチェット歯１７４よりもわずかに大きい円弧状に形成された阻止面１６２や、爪片１５２がラチェット歯１７４と噛み合うことを可能とする深さに切り取られた切欠き部１６４や、ラチェット部１７２の当り部１７８と当接可能に形成された第１当接面１６６および第２当接面１６８を有している。このカム板１６０は、ラチェット部１７２と重ね合せて、略中央で前面枠４の回転軸４ｓによって回動可能に軸支されている。
【００７６】
爪片１５２は、中枠３に固定された回転軸１５４によって回動可能に軸支されていると共に、ねじりバネ１５６によってラチェット部１７２に向かって付勢されている。
【００７７】
先ず、図１０（ａ）には、前面枠４の閉鎖時の状態が示されている。この状態では、ラチェット部１７２の当り部１７８はカム板１６０の第２当接面１６８に当接しており、カム板１６０の切欠き部１６４が爪片１５２と向き合う位置にあるため、爪片１５２は、カム板１６０の阻止面１６２に阻止されることなく、第１ラチェット歯１７４ａと噛み合っている。
【００７８】
図１０（ａ）の状態から前面枠４を開放すると、連動して回動板１７０が図中の時計回りに回転する。このとき、カム板１６０は回転することなく、切欠き部１６４も爪片１５２に向き合った位置から移動することはない。ラチェット歯１７４ｂ〜ｄは、前面枠４の開放に連動する方向（図中の時計回り）に回動板１７０が回転する際には、爪片１５２を押し戻すことで回動板１７０の回転を可能とする。そして、前面枠４を開放量Ａ（例えば４０度）まで開放すると、図１０（ｂ）に示されているように、爪片１５２が第２ラチェット歯１７４ｂの歯先を越えて第２ラチェット歯１７４ｂと噛み合うので、前面枠４の閉鎖に連動する方向（図中の反時計回り）へは回動板１７０の回転が規制され、前面枠４を閉鎖方向に戻せなくなる。同様に、前面枠４を開放量Ｂ（例えば６０度）まで開放すると、爪片１５２が第３ラチェット歯１７４ｃと噛み合って前面枠４の閉鎖を規制し、前面枠４を開放量Ｃ（例えば８０度）まで開放すると、爪片１５２が第４ラチェット歯と噛み合って前面枠４の閉鎖を規制する。尚、前面枠４（開閉部）の開閉に連動してラチェット部１７２の外周に対して移動する第２実施例の爪片１５２は、本発明の「移動部」に相当している。また、爪片１５２の移動を制限する第２実施例のラチェット歯１７４は、本発明の「制限部」に相当している。また、第２実施例のゴト対策装置１５０は、爪片１５２がラチェット歯１７４と噛み合うことで前面枠４（開閉部）の閉鎖を規制することから、本発明の「規制手段」に相当している。
【００７９】
そして、前面枠４を開放量Ｄ（例えば１２０度）まで開放すると、図１０（ｃ）に示されているように、爪片１５２が歯止め１７６によって押し戻される。前述したように歯止め１７６は、ラチェット歯１７４よりも一回り大きく形成されている。また、ラチェット部１７２の当り部１７８は、カム板１６０の第１当接面１６６に当接してカム板１６０を図中の時計まわりに回転させる。その結果、カム板１６０の切欠き部１６４が爪片１５２と向き合う位置から外れて、爪片１５２が阻止面１６２に乗り上げた状態となる。
【００８０】
図１０（ｃ）の状態から前面枠４の閉鎖に連動して回動板１７０が図中の反時計回り回転しても、カム板１６０は回転することなく、爪片１５２もカム板１６０の阻止面１６２に乗り上げたままとなる。前述したように円弧状の阻止面１６２の外径はラチェット歯１７４よりも大きく形成されているため、阻止面１６２に乗り上げた爪片１５２がラチェット歯１７４と噛み合うことはなく、前面枠４の閉鎖が可能となる。尚、第２実施例のゴト対策装置１５０は、爪片１５２がラチェット歯１７４と噛み合うことを阻止面１６２が阻止することで前面枠４（開閉部）の閉鎖を可能とすることから、本発明の「規制解除手段」に相当している。
【００８１】
そして、前面枠４を完全に閉鎖すると、ラチェット部１７２の当り部１７８がカム板１６０の第２当接面１６８に当接してカム板１６０を図中の反時計回りに回転させる。その結果、カム板１６０の切欠き部１６４が爪片１５２と向き合う位置に移動して、爪片１５２が第１ラチェット歯１７４ａと噛み合うこととなり、図１０（ａ）の状態に戻る。
【００８２】
以上に説明したように第２実施例のゴト対策装置１５０を備えるパチンコ機１では、前述した実施例と同様に、ゴト行為者が前面枠４を不正に開放し、その開放量が開放量Ａに達すると、閉鎖が規制されて前面枠４を戻すことができなくなる。そして、前面枠４を閉鎖するには、前面枠４を更に大きく開放して開放量Ｄ（＞開放量Ａ）まで開放しなければならない。このように前面枠４を大きく開放させることによってゴト行為者の動作を周囲に目立たせることができるので、ゴト行為の摘発が容易となる。
【００８３】
また、第２実施例のゴト対策装置１５０では、ラチェット部１７２を複数設けることによって前面枠４の閉鎖が規制される開放量を多段式にしており、前面枠４を開放した開放量に応じて前面枠４の閉鎖が規制される位置（角度）が変化するので、前述した実施例の第３変形例と同様に、ゴト行為の摘発の可能性を高めることができる。
【００８４】
以上、本発明について実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００８５】
例えば、前述した第１実施例のゴト対策装置１００は、前面枠４が中枠３に軸支されている部分に取り付けられていたが、これに限られるわけではなく、連動竿１２０の長さを変えることによって、配置を変更することも可能である。但し、前面枠４が中枠３に軸支されている部分に取り付けておけば、この部分は、前面枠４が開放される位置から見て奥側であることから、手前側に取り付けられる場合に比べてゴト行為者がゴト対策装置１００自体に不正な細工をすることが困難であり、ゴト行為の対策をより厳重にすることができる。
【００８６】
また、前述した第１実施例および第２実施例では、ゴト対策装置（１００，１５０）をパチンコ機に適用した例を示したが、適用場面はパチンコ機に限られるわけではなく、例えば、回胴式遊技機（いわゆるスロットマシン）にも好適に適用することが可能である。図１１は、回胴式遊技機５００の構成を例示した斜視図である。図示されているように、回胴式遊技機５００（遊技機）には、箱状に形成された筐体５０３と、筐体５０３の前面側を覆う前面扉５０２（開閉部）などが設けられており、前面扉５０２の一端は筐体５０３に対して回動可能に軸支されている。図１１には、前面扉５０２を開放した状態が示されており、遊技ホールの管理者が専用の鍵を用いて施錠装置（図示せず）を解除することにより、前面扉５０２の開放が可能となる。回胴式遊技機５００の内部には、３つの回胴５０４ａ，５０４ｂ，５０４ｃや、遊技の進行を制御するための主制御基板５０６（遊技部品）や、遊技メダルを払い出すメダル払出装置５０８などが設けられている。このような回胴式遊技機５００においても、前面扉５０２を不正な方法で開放して主制御基板５０６やメダル払出装置５０８に細工するゴト行為が行われる可能性がある。そこで、回胴式遊技機５００にも、前述した第１実施例のゴト対策装置１００や第２実施例のゴト対策装置１５０と同様のゴト対策装置５１０（規制手段、規制解除手段）を取り付けておけば、ゴト行為者の行動を周囲に目立たせることができるので、ゴト行為の摘発が容易となる。
【産業上の利用可能性】
【００８７】
本発明は、遊技ホールで用いられる遊技機に利用することができる。
【符号の説明】
【００８８】
１…パチンコ機（遊技機）、    ２…本体枠、    ３…中枠（開閉部）、
４…前面枠（開閉部）、    ４ｓ…回転軸、    ５…上皿部、
９…施錠装置、    １０…遊技盤、    ２３…障害釘（遊技部品）、
１００…ゴト対策装置（規制手段、規制解除手段）、    １０２…基台、
１０４…溝（経路）、    １０４ａ…往路、    １０４ｂ…復路、
１０６…掛止部（制限部）、    １０８…閉塞部材（制限部）、
１１０…付勢バネ、    １１２…緩衝部材（緩衝部）、    １２０…連動竿、
１２２…突起（移動部）、    １５０…ゴト対策装置（規制手段、規制解除手段）、
１５２…爪片（移動部）、    １５４…回転軸、    １５６…ねじりバネ、
１６０…カム板、    １６２…阻止面、    １６４…切欠き部、
１６６…第１当接面、    １６８…第２当接面、    １７０…回動板、
１７２…ラチェット部、    １７４…ラチェット歯（制限部）、
１７６…歯止め、    １７８…当り部、    １８０…固定部、
２００…主制御基板（遊技部品）、    ５００…回胴式遊技機、
５０２…前面扉（開閉部）、    ５０３…筐体、    ５０４…回胴、
５０６…主制御基板（遊技部品）、
５１０…ゴト対策装置（規制手段、規制解除手段）。
【図１】
2014124222.tif 000003
【図２】
2014124222.tif 000004
【図３】
2014124222.tif 000005
【図４】
2014124222.tif 000006
【図５】
2014124222.tif 000007
【図６】
2014124222.tif 000008
【図７】
2014124222.tif 000009
【図８】
2014124222.tif 000010
【図９】
2014124222.tif 000011
【図１０】
2014124222.tif 000012
【図１１】
2014124222.tif 000013